(57)【特許請求の範囲】
【請求項１】
通電可能なピン受け部材を有する差込プラグ受けに差し込み及び抜き出し可能に形成され、前記ピン受け部材に差し込まれることにより電気的に接続される接続ピン部材と、前記接続ピン部材に接続されて延設される導線と、前記導線を被覆すると共に、前記ピン受部材に差し込まれた場合には、差込プラグ受けに設けられ前記ピン受け部材よりも前記接続ピン部材の抜き出し側に配置された固定部により固定されうる絶縁体からなる被覆スリーブとを有する差込部を備えることを特徴とする差込プラグ。
【請求項２】
一対の前記差込部と、前記一対の差込部を保持し、前記ピン受部材に差し込み及び抜き出す場合の把持部を構成するケース部材を備えることを特徴とする請求項１に記載の差込プラグ。
【請求項３】
差込プラグの接続ピン部材を差し込み可能な挿入孔を備え、挿入孔に差し込まれた前記接続ピン部材と電気的に接続可能なピン受け部材と、
前記挿入孔の上部に配置され、前記差込部が差し込み及び抜き出し可能に構成され、前記接続ピン部材が前記ピン受け部材に接続された場合に、前記差込部を固定しうる固定部と、前記固定部による前記差込部の固定を解放する解放部と、前記差込部を受け入れる受入部とを備えることを特徴とする差込プラグ受け。
【請求項４】
上記受入部は、差込プラグ受け本体部に形成された円筒状の空隙部内に形成され、前記固定部は、前記空隙部の径方向において前記差込部を把持するチャック部材を有するチャック部からなり、前記解放部は、前記チャック部材による前記差込部の把持を解放する解放操作部材を備えることを特徴とする請求項３に記載の差込プラグ受け。
【請求項５】
一対の差込部を有する差込プラグに対応しうるように一対に設けられた前記受入部を所定間隔を置いて配置したプラグ受部を備え、前記解放操作部材は前記プラグ受け部に隣接して配置されていることを特徴とする請求項４記載の差込プラグ受け。
【請求項６】
全体略箱状に形成され、前記複数のプラグ受部の前記ピン受け部材に電力を供給する電力線を備えていることを特徴とする請求項５記載の差込プラグ受け。
【請求項７】
差込プラグと、差し込まれた差込プラグに電気的に接続される差込プラグ受けとを有する差込接続構造を備えた差込接続構造であって、
前記差込プラグは、通電可能なピン受け部材を有する差込プラグ受けに差し込み及び抜き出し可能に形成され、前記ピン受け部材に接続されることにより電気的に接続される接続ピン部材と、前記接続ピン部材に接続されて延設される導線と、前記導線を被覆すると共に、前記ピン受部材に接続された場合には、差込プラグ受けに設けられ、前記ピン受け部材より前記接続ピン部材の抜き出し側に配置された固定部により固定されうる絶縁体からなる被覆スリーブとを有する差込部を備え、
前記差込プラグ受けは、前記接続ピン部材を差し込み可能な挿入孔を備え、前期挿入孔に差し込まれた前記接続ピン部材と電気的に接続可能なピン受け部材と、前記挿入孔の上部に配置され、前記差込部が差し込み及び抜き出し可能に構成され、前記接続ピン部材が前記ピン受け部材に接続された場合に、前記差込部を固定しうる固定部と、前記固定部による前記差込部の把持を解放する解放部を有し、差込プラグの差込部を受け入れる受入部とを備えていることを特徴とする差込接続構造。
【発明の詳細な説明】
【技術分野】
【０００１】
本発明は、差込プラグ、差込プラグ受け、及び差込接続構造の改良に関する。
【背景技術】
【０００２】
家庭用の電源に電気機器を接続するために用いられる差込接続構造として、電源側に接続される差込プラグ受けと、例えば、電気機器の電源コードの先端部に設けられた差込プラグを備えたものが使用され、差込プラグに備えられた刃を差込プラグ受けの刃受けに当接保持させて電気的な接続を行うように構成されている。
【０００３】
このような従来の差込プラグと差込プラグ受けに関しては以下のような従来技術が存在する。
例えば、特許文献１には、抜け止め作業を忘れる等してプラグの栓刃が差込部から外れるのを確実に防止するため、筐体と、筐体の外面に貫設されてプラグの各栓刃が各々差し込みされる３つの栓刃差し込み孔、及び筐体内に収納されて各栓刃が各々接触接続される３つの刃受部からなる差込部と、筐体内に収納されて差込部において一つの接地極の栓刃と刃受部との接触状態を保持する鎖錠部材とを備え、鎖錠部材は、筐体のリブに栓刃を圧接する向きに弾性付勢された圧接片を有する鎖錠ばねからなり、圧接片は、栓刃の差し込み向きに沿ってリブとの間の距離を狭める向きに傾斜したものが記載されている。
【０００４】
また、特許文献２には、防水性を向上したテーブルタップを提供するため、栓刃挿入孔が前面に設けられたカバーを有するハウジングを備え、弾性を有する材料からなりカバーの周囲に配設されカバーの周囲の隙間を通じた水の浸入を阻止するパッキンと、栓刃挿入孔に栓刃が差し込みされていないときに栓刃挿入孔を閉塞する扉体とを設けたものが記載されている。
【０００５】
さらに、特許文献３には、耐トラッキング特性を高める絶縁材料製の膜とプラグ本体との界面に塵埃等が入り込み難い構造とするため、栓刃のプラグ本体から突出する部分の根元部及びプラグ本体に埋め込まれる部分の表面を絶縁材料製の膜（コーティング膜）で被覆するとともに、その絶縁材料製の膜には、プラグ本体に埋め込まれる部分に段差又は凹凸を形成するものが記載されている。
【０００６】
また、一般に、産業機械等の制御盤で使用される端子台部にあっては、電力供給用ケーブルを、押さえ金具と、取付ねじとを用いて取り付けるように構成されている。即ち、ケーブルの芯線には、ねじ挿入孔を開設した接続端子を取り付けられ、この接続端子と押さえ金具のねじ挿入孔に取付ねじを差し込み、取付ねじを端子台部の電極のねじ穴に押さえ金具を介してねじ込むことにより、多数の電力供給用ケーブルを多数のネジ穴が設けられた端子台部に固定するものである。
【特許文献１】特開２０１０−１９８７９０号公報
【特許文献２】特開２００６−１５５９４９号公報
【特許文献３】特開２０００−１３３３５８号公報
【発明の開示】
【発明が解決しようとする課題】
【０００７】
このような従来の差込接続構造にあっては、特許文献１に開示された技術にあっては、鎖錠部材により栓刃と刃受部との接触状態を保持し、栓刃が刃受部から抜けないように構成されてはいるが、栓刃が筐体上に若干なりとも露出する事態があり、長期間使用する場合には、そのような露出部位に埃が溜まり、一対の栓刃の間で通電して発火してしまう、いわゆる「トラッキング現象」が発生する可能性も否定できなかった。
【０００８】
また、特許文献３に開示された技術にあっては、トラッキングの事態を防止しうるように構成されてはいるが、何らかの外力が作用して場合に栓刃がプラグ本体から抜けてしまう可能性があり、また、特許文献２に開示された技術にあっても同様に栓刃がプラグ受部から抜けてしまう場合があった。
このように栓刃がプラグ受から若干でも抜けかけたような場合には、例えば、子供等の細い指が抜けかかった栓刃に触れてしまい感電する可能性もあり、危険性が大きかった。
【０００９】
また、上述した端子台部には多数のケーブルを取り付けるものであり、このケーブルの取り付け時にその都度取付ねじを用いて固定することは非常に煩雑であった。また、配線終了後において、ケーブルの取り外し、取り換え、取付位置の変更を行うのも煩雑であった。
【００１０】
そこで本発明の課題は、差込プラグが差込プラグ受けから外れにくく感電のおそれがなく、トラッキングを有効に防止しうると共に、容易かつ迅速に端子台部に多数のケーブルを取り付けることができる差込プラグ、差込プラグ受け、及び差込接続構造を提供することにある。
【課題を解決するための手段】
【００１１】
前記課題を解決するために請求項１に記載の発明は、通電可能なピン受け部材を有する差込プラグ受けに差し込み及び抜き出し可能に形成され、前記ピン受け部材に差し込まれることにより電気的に接続される接続ピン部材と、前記接続ピン部材に接続されて延設される導線と、前記導線を被覆すると共に、前記ピン受部材に差し込まれた場合には、差込プラグ受けに設けられ前記ピン受け部材よりも前記接続ピン部材の抜き出し側に配置された固定部により固定されうる絶縁体からなる被覆スリーブとを有する差込部を備えることを特徴とする。
【００１２】
請求項２記載の発明にあっては、一対の前記差込部と、前記一対の差込部を保持し、前記ピン受部材に差し込み及び抜き出す場合の把持部を構成するケース部材を備えることを特徴とする。
【００１３】
請求項３記載の発明にあっては、差込プラグの接続ピン部材を差し込み可能な挿入孔を備え、挿入孔に差し込まれた前記接続ピン部材と電気的に接続可能なピン受け部材と、前記挿入孔の上部に配置され、前記差込部が差し込み及び抜き出し可能に構成され、前記接続ピン部材が前記ピン受け部材に接続された場合に、前記差込部を固定しうる固定部と、前記固定部による前記差込部の固定を解放する解放部と、前記差込部を受け入れる受入部とを備えることを特徴とする。
【００１４】
請求項４記載の発明にあっては、上記受入部は、差込プラグ受け本体部に形成された円筒状の空隙部内に形成され、前記固定部は、前記空隙部の径方向において前記差込部を把持するチャック部材を有するチャック部からなり、前記解放部は、前記チャック部材による前記差込部の把持を解放する解放操作部材を備えることを特徴とする。
【００１５】
請求項５記載の発明にあっては、一対の差込部を有する差込プラグに対応しうるように一対に設けられた前記受入部を所定間隔を置いて配置したプラグ受部を備え、前記解放操作部材は前記プラグ受け部に隣接して配置されていることを特徴とする。
【００１６】
請求項６記載の発明にあっては、全体略箱状に形成され、前記複数のプラグ受部の前記ピン受け部材に電力を供給する電力線を備えていることを特徴とする。
【００１７】
請求項７記載の発明にあっては、差込プラグと、差し込まれた差込プラグに電気的に接続される差込プラグ受けとを有する差込接続構造を備えた差込接続構造であって、前記差込プラグは、通電可能なピン受け部材を有する差込プラグ受けに差し込み及び抜き出し可能に形成され、前記ピン受け部材に接続されることにより電気的に接続される接続ピン部材と、前記接続ピン部材に接続されて延設される導線と、前記導線を被覆すると共に、前記ピン受部材に接続された場合には、差込プラグ受けに設けられ、前記ピン受け部材より前記接続ピン部材の抜き出し側に配置された固定部により固定されうる絶縁体からなる被覆スリーブとを有する差込部を備え、前記差込プラグ受けは、前記接続ピン部材を差し込み可能な挿入孔を備え、前期挿入孔に差し込まれた前記接続ピン部材と電気的に接続可能なピン受け部材と、前記挿入孔の上部に配置され、前記差込部が差し込み及び抜き出し可能に構成され、前記接続ピン部材が前記ピン受け部材に接続された場合に、前記差込部を固定しうる固定部と、前記固定部による前記差込部の把持を解放する解放部を有し、差込プラグの差込部を受け入れる受入部とを備えていることを特徴とする差込接続構造である。
【発明の効果】
【００１８】
請求項１〜６記載の発明に係る差込プラグ及び差込プラグ受けによれば、差込プラグを差込プラグ受けに差し込んだ場合には、差込プラグは、固定部が差込部を固定することにより差込プラグ受けに固定されることから、差込プラグの差込部が差込プラグ受けの受入部から外れる事態を防止することができる。
【００１９】
その結果、従来のように、栓刃がプラグ受から若干でも抜けかけることにより、例えば、子供等の細い指が抜けかかった栓刃に触れてしまい感電する、といった危険な事態を有効に防止することができる。
【００２０】
また、差込プラグの接続ピン部材に接続された導線は絶縁体からなる被覆スリーブにより被覆されていることから、差込プラグの差込部においては、従来における差込プラグの刃部のように電気が導通する部位が外方へ露出する可能性はないことから、長期間使用した場合であっても、露出部位に埃が溜まり、一対の栓刃の間で通電して発火してしまう、いわゆる「トラッキング現象」を有効に防止することができる。
【００２１】
また、請求項７記載の発明に係る差込接続構造にあっては、差込プラグと、差込プラグを固定又は解放しうる差込プラグ受けとにより構成されていることから、ケーブルに取り付けられた差込プラグを容易かつ迅速に差込プラグ受けに着脱することができる。
【図面の簡単な説明】
【００２２】
【図１】本発明の実施形態１に係る差込接続構造を構成する差込プラグを示すものであり、（ａ）は正面図、（ｂ）は内部を示した正面図である。
【図２】同差込プラグの差込部を示す正面図である。
【図３】本発明の実施形態１に係る差込接続構造を示すものであり、（ａ）は平面図、（ｂ）は（ａ）中のＡ−Ａ線に相当する断面図である。
【図４】同差込プラグ受けの受入部を示す拡大断面図である。
【図５】同差込プラグ受けに差込プラグが差し込みされた状態を示す拡大断面図である。
【図６】本発明の実施形態２に係る差込接続構造を示すものであり、（ａ）は平面図、（ｂ）は（ａ）中のＢ−Ｂ線に相当する断面図である。
【図７】実施形態３に係る差込接続構造を構成する差込プラグ受けを示す平面図である。
【発明を実施するための最良の形態】
【００２３】
本発明を実施するための形態に係る差込プラグ、差込プラグ受け、及び差込接続構造について説明する。
＜実施形態１＞
以下本発明の実施形態１に係る差込接続構造について説明する。
実施形態１に係る差込接続構造は、差込プラグ２００と、この差込プラグ２００が差し込まれる差込プラグ受け３００とから構成される。
差込プラグ受け３００には単相交流１００Ｖの商用電力が供給されており、差込プラグ２００にはこの商用電力を使用する電気器具等が接続されている。差込プラグ受け３００に差込プラグ２００を差し込むことにより電気器具等に電力が供給される。
【００２４】
差込プラグ２００について説明する。図１は本発明の実施形態１に係る差込接続構造を構成する差込プラグを示すものであり、（ａ）は平面図、（ｂ）は内部構造を示した平面図、図２は同差込プラグの差込部を拡大して示す平面図である。
差込プラグ２００には、２つの差込部２１０、２１０と、この差込部２１０、２１０を平行な状態で保持し、ピン受部材３６０に差し込み及び抜き出す場合の把持部として使用されるケース部材２４０とを備えている。
【００２５】
２つの差込部２１０、２１０は、電気器具等から延設される平行ケーブル２２０の先端に配置される。平行ケーブル２２０は、２本のケーブル２２３、２２３を幅方向に接続し、長さ方向に連続して形成されている。各ケーブル２２３、２２３は、それぞれ電力を伝送する導線２２１、２２１及びこの導線２２１、２２１の周囲を被覆する絶縁体で構成された被覆部２２２、２２２により構成されている。
平行ケーブル２２０はケース部材２４０の反先端部側の手前で２本のケーブル２２３、２２３に分岐し、この２本のケーブル２２３、２２３は、ケース部材２４０内部において平行に配置されている。
【００２６】
ケース部材２４０は合成樹脂製である。ケース部材２４０の先端部側からは２本の突出ケーブル部２１１、２１１が平行に突出している。突出ケーブル部２１１、２１１は、導線２２１、２２１及び被覆部２２２、２２２の外方を、さらに絶縁体で形成された被覆スリーブ２１２で覆われて形成されている。
【００２７】
差込部２１０、２１０は、２本の突出ケーブル部２１１、２１１の先端に形成される。差込部２１０、２１０は、突出ケーブル部２１１、２１１の先端において導線２２１、２２１の先端に接続ピン部材２１３、２１３を接続して構成されている。
【００２８】
接続ピン部材２１３は、良導体、例えば真鍮製の円柱状部材であり、差込プラグ受け３００への差し込み抵抗を軽減するため先端が球面により構成されている。また、接続ピン部材２１３は、図２に示すように、良好な電気的な接続が得られるよう、導線２２１の先端を接続ピン部材２１３に形成した凹部２１４に差し込んで、ろう付け、溶接等で接続されている。
【００２９】
被覆スリーブ２１２は、導線２２１、被覆部２２２を覆って、接続ピン部材２１３に近接する位置に至るまで配設されている。被覆スリーブ２１２はその周囲が後述する差込プラグ受け３００のチャック部３４０により挟持され、取り外し可能に固定される（図３、図４、図５参照）。
【００３０】
この差込プラグ２００にあっては、２本のケーブル２２３、２２３は、ケース部材２４０で保持されて互いに分離されないように構成されている。このため、接続ピン部材２１３、２１３は所定間隔離れて互いに平行に、その先端が同位置に揃うように配置されている。
なお、ケース部材２４０は、差込プラグ２００を差込プラグ受け３００に接続するとき、操作者が差込プラグ２００を保持する把持部として使用される。
【００３１】
次に差込プラグ受け３００について説明する。図３は本発明の実施形態１に係る差込接続構造を構成する差込プラグ受けを示すものであり、（ａ）は平面図、（ｂ）は（ａ）中のＡ−Ａ線に相当する断面図、図４は同差込プラグ受けの受入部を示す拡大断面図、図５は同差込プラグ受けに差込プラグが差し込まれた状態を示す拡大断面図である。
【００３２】
差込プラグ受け３００は、全体略直方体箱状のケース３１０の表面部３１１に２つの差込プラグ２００を差し込むことができるように形成されている。
このため、差込プラグ受け３００には、差込プラグ２００を差し込むことができる２つの受入部３２０、３２０を備えた２組のプラグ受部３３０、３３０を備えている。図３（ａ）、（ｂ）は、差込プラグ受け３００の、図中左側の受入部３２０には、差込プラグ２００が差し込まれている状態を示している。
【００３３】
プラグ受部３３０の２つの受入部３２０、３２０は同一の構成を備えている。受入部３２０、３２０は、ピン受け部材３６０、３６０と、固定部を構成するチャック部３４０、３４０と、チャック部３４０の解放部を構成する解放操作部材３５０とを備えている。
ピン受け部材３６０には電力線（図示せず）が接続されている。またピン受け部材３６０は、接続ピン部材２１３が差し込み可能な開口３６１を備え、開口３６１に差し込まれた接続ピン部材２１３に電気的に接続されて電力が供給される。なお、図示しないが、この接続ピン部材２１３には弾性的にピン受部材３６０に当接する緩衝部材を配置することもできる。
【００３４】
上記受入部３２０、３２０は、差込プラグ受け本体部３１２に、開口３６１と同軸上に形成された円筒状の空隙部３１３、３１３内に配設され、チャック部３４０、３４０は、空隙部の径方向において前記被覆スリーブ２１２を把持するチャック部材３４１、３４１を有している。
チャック部３４０は、各空隙部３１３の内周面部に固定された円筒状の固定部材３４２と、固定部材３４２に取付部材３４３を介して固定された全体略半円筒状のチャック爪３４１とからなる。チャック爪３４１は、空隙部３１３の軸方向に沿って形成された固定片部３４５と、固定部３４５の先端部に空隙部３１３の内方に突出するように斜め下方に向かって折曲された突出片部３４６とにより形成されており、突出片部３４６の先端部は空隙部３１３内に挿入されてくる差込プラグ２００の被覆スリーブ２１２を周面外方から把持するように構成されている。
【００３５】
チャック部材３４１は全体金属製であって、円錐状テーパ部３４１ａと、この円錐状テーパ部３４１ａの上方に形成された円筒部３４１ｂと、円筒部３４１ｂの上端部に形成された鍔部３４１ｃとを備えている。また、円錐状テーパ部３４１ａの先端は厚さ方向に軸方向に沿ってカットされ、円錐状テーパ部３４１ａの周縁部に沿って、互いに対向する軸方向に沿う平面部３４１ｅを有するテーパ状の先端部３４１ｄが形成されている。
【００３６】
その結果、チャック部材３４１は、差込プラグ２００が受入部３２０に挿入された場合には、形弾性的に被覆スリーブ２１２に当接し、差込部２１０が挿入された場合には、被覆スリーブ２１２は上記平面部３４１ｅに当接することから、挿入方向への移動が可能である一方、挿入した差込部２１０を抜き出そうとした場合には、上記テーパ状の先端部３４１ｄが被覆スリーブ２１２に食い込むことから、抜き出し方向においては被覆スリーブ２１２の移動を阻止する。
その結果、差込プラグ２００は、差込プラグ受３００に容易に接続できるが差込プラグ受３００からは容易には抜けないこととなる。なお、固定部材３４２は突起部３４２ａによりケース３１０に固定された円筒状の合成樹脂部材であり、チャック部材３４１を案内する。
【００３７】
解放操作部材３５０は、一対の筒部３５１、３５１と、この筒部３５１、３５１の上端部に折曲形成された表出部３５２とを備える。表出部３５２には連結部３５４を介してリリースボタン３５３が接続されている。
筒部３５１は、内部に差込部２１０が差し込み可能な挿入孔３５１ａを備え、先端には円錐形状の太径部３５１ｂが形成されている。また、本実施の形態にあっては、表出部３５２は、筒部３５１、３５１の上部に接続された長方形状の板状部材である。
解放操作部材３５０、３５０の筒部３５１、３５１は、リリースボタン３５３、３５３を差込プラグ受３００の内方へ押し下げることで下降し、太径部３５１ｂ、３５１ｂが受入部３２０、３２０のチャック部材３４１、３４１の円錐状テーパ部３４１ａ、３４１ａ
を下方に押圧して内側からチャック部材３４１を押し広げ、差し込まれた２つの被覆スリーブ２１２、２１２の固定を同時に解放する。
【００３８】
実施形態に係る差込接続構造１００では、差込プラグ２００を差込プラグ受け３００に接続する場合には、差込プラグ２００のケース部材２４０を把持して、差込部２１０、２１０を、表出部３５２から筒部３５１の挿入孔３５１ａ、３５１ａに差し込み、接続ピン部材２１３、２１３をピン受け部材３６０、３６０の開口３６１、３６１に差し込み、接触部３６２、３６２に接触させる。
【００３９】
これにより、電力が導線２２１、２２１に供給される。差込部２１０、２１０の差し込み時には、差込部２１０、２１０はチャック部３４０、３４０のチャック部材３４１、３４１の軸方向に沿う平面部３４１ｅに接触しつつ通過する。そして、接続ピン部材２１３、２１３が、ピン受け部材３６０、３６０に差し込まれ、停止した状態で、チャック部３４０、３４０のチャック部材３４１、３４１が被覆スリーブ２１２、２１２の外周面部に圧接する状態となり、差込部２１０、２１０はチャック部３４０、３４０により固定される。
【００４０】
この状態で差込プラグ２００が差込プラグ受け３００から引き抜かれる方向に力がかかった場合、被覆スリーブ２１２、２１２の外周面部にチャック部３４０、３４０のチャック部材３４１、３４１のテーパ状の先端部３４１ｄ、３４１ｄが食い込むことから、差込プラグ２００が差込プラグ受け３００から抜けることはない。
【００４１】
差込プラグ２００を差込プラグ受け３００から取り外すときには、リリースボタン３５３、３５３を差込プラグ受３００の内方に向かって押し下げる。リリースボタン３５３、３５３が押し下げられると、筒部３５１、３５１の太径部３５１ｂ、３５１ｂがチャック部材３４１、３４１の円錐状テーパ部３４１ａ、３４１ａを下方に押圧して内側からチャック部材３４１を径方向に押し広げ、差し込まれた２つの被覆スリーブ２１２、２１２の固定を同時に解放する。
その結果、差込部２１０、２１０を容易に抜き出し、差込プラグ受け３００から差込プラグ２００を取り外すことができる。
【００４２】
実施形態１に係る差込接続構造１００によれば、差込プラグ２００を差込プラグ受け３００に取り付けた状態で、差込プラグ２００の突出ケーブル部２１１、２１１の外周には、解放操作部材３５０の表出部３５２が配置され、さらにチャック部３４０、３４０が配置されているので、内部に塵芥等が侵入することが防止され、漏電、火災の発生を確実に防止できる。また、電力が供給された状態で接続ピン部材２１３、２１３が差込プラグ受け３００外に露出することがないので感電が防止できる。
【００４３】
＜実施形態２＞
次に本発明の実施形態２に係る差込接続構造について説明する。図６は本発明の実施形態２に係る差込接続構造を示すものであり、（ａ）は平面図、（ｂ）は（ａ）中のＢ−Ｂ線に相当する断面図である。この差込接続構造４００は、実施形態１に係る差込接続構造１００の変形例である。差込接続構造４００は、実施形態１で説明した差込プラグ２００と、この差込プラグ２００が差し込みされる差込プラグ受け５００とで構成されている。
【００４４】
差込プラグ受け５００は、解放操作部材５５０の構成が実施形態１の差込プラグ受け３００と異なる。その他の構成は実施形態１の差込プラグ受け３００と同一である。実施形態２に係る差込プラグ受け５００の解放操作部材５５０は、筒部５５１、５５１の上部に配置され表出部５５２を差し込んだ差込プラグ２００の領域よりも大きな円板形状となっている。このため、差込プラグ２００の取り外しが容易となる。
【００４５】
＜実施形態３＞
次に本発明の実施形態３に係る差込接続構造について説明する。図７は実施形態３に係る差込接続構造を構成する差込プラグ受けを示す平面図である。実施形態３に係る差込接続構造６００は、複数本のケーブル７００が接続される２つの端子台部８１０、８２０を備えている。
この端子台部８１０、８２０には多数のプラグ受部８３０、８３０、…、８４０、８４０…が設置されている。端子台部８１０、８２０のプラグ受部８３０、８３０、…、８４０、８４０…同士は内部で相互に所定の接続がなされている。また差込プラグ受け８００には、端子台部８１０、８２０の間の電気的接続を開閉するスイッチ８５０を備えている。
【００４６】
この差込プラグ受け８００の各プラグ受部８３０、８３０、…、８４０、８４０…には、ケーブル７００の先端に配置した差込プラグ７１０が差し込まれる。
【００４７】
差込プラグ７１０の構成は、実施形態１の説明中図１で示したものの一方の差込部２１０、２１０と同一である。また、各プラグ受部８３０、８３０、…、８４０、８４０…の構成は、実施形態１の説明中図３（ｂ）、図４及び図５で説明したものと同一である。
【００４８】
即ち、プラグ受け部８３０、８４０は、実施形態１における筒部３５１に相当する、挿入孔８３２，８４２を有する筒部８３１、８４１と、筒部８３１、８４１の上端部において直交して形成された平面リング状の表出部８３３、８４３を備え、図３（ｂ）、図４及び図５に示す断面構造と同一の構造を備えている。
【００４９】
従って、差込プラグ７１０を挿入孔８３２、８４２に挿入した場合には、実施形態１における、図３（ｂ）、図４及び図５に示すチャック機構３４０と同一の構造のチャック機構を内蔵しており、チャック部材が差込プラグ７１０の被覆スリーブ７１１に係合し、抜  き出し方向への差込プラグ７１０の移動が阻止された状態で差込プラグ７１０はプラグ受け部８３０、８４０内に固定される。
この状態で、差込プラグ７１０の先端に設けられた接続ピン部材７１２は、接続されている電力線が接続されたピン受け部材に当接するため電気的に接続されて電力供給が可能となる。
【００５０】
また、差込プラグ７１０をプラグ受け部８３０、８４０から抜き出す場合には、平面リング状の表出部８３３、８４３をプラグ受８００の内方に向かって押し下げる。表出部８３２、８４２を押し下げた場合には、実施形態１の場合と同様に、筒部８３１，８４１がチャック部材を径方向に押し広げるため、チャック部材の被覆スリーブへの係合が解除され、差し込みプラグ７１０をプラグ受け部８３０、８４０からワンタッチで抜き出すことができる。
【００５１】
したがって実施形態３に係る差込接続構造６００によれば、差込プラグ７１０を備えた多数のケーブル７００を、多数のプラグ受部８３０、８３０、…、８４０、８４０、…を備える差込プラグ受け８００に容易に着脱できる。
また、一度差し込まれた差込プラグ７１０はプラグ受部８３０、８３０、…、８４０、８４０、…から容易には外れない。このため、実施形態３に係る差込接続構造６００は、取り付け取り外しに手間がかからず、差込プラグの差込部が差込プラグ受けの受入部から外れにくくなり、埃等が挿入孔８３２，８４２から侵入することがなく、差込プラグの接続ピンが外部に露出しないため、作業者が感電するおそれがない。
また、従来のように、ケーブル７００のプラグ受け８００への取り付け時にその都度取付ねじを用いて固定する必要がなく、また、配線終了後における、ケーブルの取り外し、取り換え、取付位置の変更も容易かつ迅速に行うことができる。
【００５２】
なお、実施形態１及び実施形態２に係る差込接続構造は、単相交流１００ボルトの差込接続構造として説明したが、本発明は、例えば３相交流２００ボルトの差込接続構造等他の電力供給用の差込接続構造に適用できる。
【００５３】
また、実施形態３に係る差込接続構造は、２つの端子台部とスイッチを備えるものとしたが、単なる端子台部の他、各種ケーブルを接続する機器、例えばトランス、シーケンサー、リレー、マグネットスイッチ、インバーター、サーキットプロテクター、パワーサプライ、マイクロスイッチ等の機器のケーブル接続部に使用することができる。
【符号の説明】
【００５４】
１００：差込接続構造
２００：差込プラグ
２１０：差込部
２１１：突出ケーブル部
２１２：被覆スリーブ
２１３：接続ピン部材
２１４：凹部
２２０：平行ケーブル
２２１：導線
２２２：被覆部
２２３：ケーブル
２４０：ケース部材
３００：差込プラグ受け
３１０：ケース
３１１：面部
３１２：差込プラグ受本体部
３１３：空隙部
３２０、３２０：受入部
３３０：プラグ受部
３４０：チャック部（固定部）
３４１：チャック部材
３４１ａ：円錐状テーパ部
３４１ｂ：円筒部
３４１ｃ：鍔部
３４１ｄ：先端部
３４１ｅ：平面部
３４２：固定部材
３４２ａ：突起部
３４３：取付部材
３４４：チャック爪
３４５：固定部
３４６：突出片部
３５０：解放操作部材
３５１：筒部
３５１ａ：挿入孔
３５１ｂ：太径部
３５２：表出部
３５３：リリースボタン
３５４：連結部
３６０：ピン受け部材
３６１：開口
３６２：接触部
４００：差込接続構造
５００：差込プラグ受け
５５０：解放操作部材（解放部）
５５：筒部
５５２：表出部
６００：差込接続構造
７００：ケーブル
７１０：差込プラグ
７１１：被覆スリーブ
７１２：接続ピン部材
８００：差込プラグ受け
８１０、８２０：端子台部
８３０：プラグ受部
８３１：筒部
８３２：挿入孔
８３３：表出部
８４０：プラグ受部
８４１：筒部
８４２：挿入孔
８４３：表出部
８５０：スイッチ
【図１】
0005975298.tif 000002
【図２】
0005975298.tif 000003
【図３】
0005975298.tif 000004
【図４】
0005975298.tif 000005
【図５】
0005975298.tif 000006
【図６】
0005975298.tif 000007
【図７】
0005975298.tif 000008